【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
特定個人を識別できる識別情報を含む個人情報データを記憶手段に保存し又は記憶手段から読み出す処理を、コンピュータに実行させる個人情報データ処理方法であって、
所定の分割規則を定めるデフォルト情報を取得するデフォルト情報取得ステップと、
前記デフォルト情報に従って、前記識別情報を、単独では特定の個人を識別することができない第１断片と第２断片とに分割する分割ステップと、
前記第１断片と前記第２断片との対応関係を示す連結鍵情報を生成するステップと、
前記第１断片と前記第２断片とを異なるファイルに格納するステップと、
前記連結鍵情報と前記第１及び第２の断片とを異なる記憶領域に保管するステップと
を有する個人情報データ処理方法。
【請求項２】
前記デフォルト情報取得ステップでは、名字と名前の間のスペース、ハイフン、又は文字数をデフォルト情報として取得する請求項１記載の個人情報データ処理方法。
【請求項３】
前記デフォルト情報取得ステップでは、氏名のデータベースを検索して名字と名前の分割箇所をデフォルト情報として取得する請求項１記載の個人情報データ処理方法。
【請求項４】
前記記憶媒体領域に保管された前記連結鍵情報と、前記第１断片と前記第２断片とから元の識別情報を復元するステップと
をさらに有する請求項１記載の個人情報データ処理方法。
【請求項５】
特定個人を識別できる識別情報を含む個人情報データを記憶手段に保存し又は記憶手段から読み出す処理を、コンピュータに実行させる個人情報データ処理方法であって、所定の分割規則を定めるデフォルト情報を取得するデフォルト情報取得ステップと、前記デフォルト情報に従って、前記識別情報を、単独では特定の個人を識別することができない第１断片と第２断片とに分割する分割ステップと、前記第１断片と前記第２断片との対応関係を示す連結鍵情報を生成するステップと、前記第１断片と前記第２断片とを異なるファイルに格納するステップと、前記連結鍵情報と前記第１及び第２の断片とを異なる記憶領域に保管するステップと、をコンピュータに実行させるためのプログラム。
【請求項６】
特定個人を識別できる識別情報を含む個人情報データを記憶手段に保存し又は記憶手段から読み出す処理を、コンピュータに実行させる個人情報データ処理方法であって、所定の分割規則を定めるデフォルト情報を取得するデフォルト情報取得ステップと、前記デフォルト情報に従って、前記識別情報を、単独では特定の個人を識別することができない第１断片と第２断片とに分割する分割ステップと、前記第１断片と前記第２断片との対応関係を示す連結鍵情報を生成するステップと、前記第１断片と前記第２断片とを異なるファイルに格納するステップと、前記連結鍵情報と前記第１及び第２の断片とを異なる記憶領域に保管するステップと、をコンピュータに実行させるためのプログラムを記憶したコンピュータ読み取り可能な記録媒体。
【手続補正２】
【補正対象書類名】明細書
【補正対象項目名】発明の名称
【補正方法】変更
【補正の内容】
【発明の名称】個人情報データ処理方法、プログラム及び記録媒体
【手続補正３】
【補正対象書類名】明細書
【補正対象項目名】０００１
【補正方法】変更
【補正の内容】
【０００１】
本発明は、個人情報保護を目的とする個人情報データ処理方法、プログラム及び記録媒体に関する。
【手続補正４】
【補正対象書類名】明細書
【補正対象項目名】００１０
【補正方法】変更
【補正の内容】
【００１０】
本発明は、かかる点に鑑みてなされたものであり、個人情報の漏洩や喪失に対する高い安全性を確保することができる個人情報データ処理方法、プログラム及び記録媒体を提供することを目的とする。
【手続補正５】
【補正対象書類名】明細書
【補正対象項目名】００１１
【補正方法】変更
【補正の内容】
【００１１】
また、本発明は、高い安全性を確保しつつ、データ処理の効率化を図ることができる個人情報データ処理方法、プログラム及び記録媒体を提供することを別の目的とする。
【手続補正６】
【補正対象書類名】明細書
【補正対象項目名】００１２
【補正方法】変更
【補正の内容】
【００１２】
本発明の個人情報データ処理方法は、特定個人を識別できる識別情報を含む個人情報データを記憶手段に保存し又は記憶手段から読み出す処理を、コンピュータに実行させる個人情報データ処理方法であって、所定の分割規則を定めるデフォルト情報を取得するデフォルト情報取得ステップと、前記デフォルト情報に従って、前記識別情報を、単独では特定の個人を識別することができない第１断片と第２断片とに分割する分割ステップと、前記第１断片と前記第２断片との対応関係を示す連結鍵情報を生成するステップと、前記第１断片と前記第２断片とを異なるファイルに格納するステップと、前記連結鍵情報と前記第１及び第２の断片とを異なる記憶領域に保管するステップとを有する。
前記デフォルト情報取得ステップでは、名字と名前の間のスペース、ハイフン、又は文字数をデフォルト情報として取得することがより好ましい。
前記デフォルト情報取得ステップでは、氏名のデータベースを検索して名字と名前の分割箇所をデフォルト情報として取得することがより好ましい。
前記記憶媒体領域に保管された前記連結鍵情報と、前記第１断片と前記第２断片とから元の識別情報を復元するステップとをさらに有することがより好ましい。
本発明は、特定個人を識別できる識別情報を含む個人情報データを記憶手段に保存し又は記憶手段から読み出す処理を、コンピュータに実行させる個人情報データ処理方法であって、所定の分割規則を定めるデフォルト情報を取得するデフォルト情報取得ステップと、前記デフォルト情報に従って、前記識別情報を、単独では特定の個人を識別することができない第１断片と第２断片とに分割する分割ステップと、前記第１断片と前記第２断片との対応関係を示す連結鍵情報を生成するステップと、前記第１断片と前記第２断片とを異なるファイルに格納するステップと、前記連結鍵情報と前記第１及び第２の断片とを異なる記憶領域に保管するステップと、をコンピュータに実行させるためのプログラムである。
本発明は、特定個人を識別できる識別情報を含む個人情報データを記憶手段に保存し又は記憶手段から読み出す処理を、コンピュータに実行させる個人情報データ処理方法であって、所定の分割規則を定めるデフォルト情報を取得するデフォルト情報取得ステップと、前記デフォルト情報に従って、前記識別情報を、単独では特定の個人を識別することができない第１断片と第２断片とに分割する分割ステップと、前記第１断片と前記第２断片との対応関係を示す連結鍵情報を生成するステップと、前記第１断片と前記第２断片とを異なるファイルに格納するステップと、前記連結鍵情報と前記第１及び第２の断片とを異なる記憶領域に保管するステップと、をコンピュータに実行させるためのプログラムを記憶したコンピュータ読み取り可能な記録媒体である。
【手続補正７】
【補正対象書類名】明細書
【補正対象項目名】００７６
【補正方法】変更
【補正の内容】
【００７６】
本発明に係る個人情報データ処理方法、プログラム及び記録媒体は、個人情報保護を目的とするデータベースの分散保存及び管理方法に有用である。また、プログラムとして、表計算ソフトなどのパッケージソフトなどに適用して好適である。また、特別な部材は不要で部品点数の増加もないので、低コストでしかも実施が容易でありパソコン等の情報処理装置に幅広く適用することができる。